(57)【要約】【課題】  コンテンツ処理装置１２を通じて、記憶媒体１１内に管理されるコンテンツとその権利情報を、利用者に対して高速に通知できるようにする権利情報管理方法および権利情報管理装置に関する。【解決手段】  コンテンツ処理装置１２との間における相互認証を経た後にアクセスが可能な認証記憶領域２３と、当該相互認証を経ずにアクセスが可能な通常記憶領域２２とを備えた記憶媒体１１に保持されたコンテンツに対する権利情報の管理方法であって、認証記憶領域２３に保持された暗号化権利情報を読み出す工程と、読み出した暗号化権利情報を復号化して平文権利情報を取り出す工程と、平文権利情報を通常記憶領域２２に保持する工程とを含むものである。【選択図】図１
2006178930.tif 000002
【特許請求の範囲】
【請求項１】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、
前記認証記憶領域に保持された暗号化権利情報を読み出す工程と、
前記読み出した暗号化権利情報を復号化して平文権利情報を取り出す工程と、
前記平文権利情報を前記通常記憶領域に保持する工程と、を含む権利情報管理方法。
【請求項２】
請求項１に記載の権利情報管理方法であって、
前記平文権利情報を暗号化して前記通常記憶領域に保持することを特徴とする権利情報管理方法。
【請求項３】
請求項１に記載の権利情報管理方法であって、
前記通常記憶領域は、用途毎に管理されアクセス可能なコンテンツ領域と、用途に関わらずデータを保持可能なデータ領域とからなり、
前記コンテンツ領域にコンテンツとその管理情報が保持され、前記平文権利情報を前記コンテンツ領域の管理情報内に保持することを特徴とする権利情報管理方法。
【請求項４】
請求項１に記載の権利情報管理方法であって、
前記通常記憶領域は、用途毎に管理されアクセス可能なコンテンツ領域と、用途に関わらずデータを保持可能なデータ領域とからなり、
前記コンテンツ領域にコンテンツとその管理情報が保持され、前記コンテンツ処理装置側の利用用途により前記平文権利情報を前記データ領域に分割して保持することを特徴とする権利情報管理方法。
【請求項５】
請求項４に記載の権利情報管理方法であって、
前記平文権利情報を前記コンテンツ処理装置の種別により分割して保持することを特徴とする権利情報管理方法。
【請求項６】
請求項４に記載の権利情報管理方法であって、
前記平文権利情報を前記コンテンツのフォーマット種別により分割して保持することを特徴とする権利情報管理方法。
【請求項７】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、
前記通常記憶領域は、用途毎に管理されアクセス可能なコンテンツ領域と、用途に関わらずデータを保持可能なデータ領域とからなり、前記コンテンツ領域にコンテンツとその管理情報が保持され、
前記コンテンツ領域内のコンテンツと暗号化権利情報へのリンク情報を含む管理情報の存在を確認する工程と、
前記管理情報の存在が確認された時、前記リンク情報に基づき前記認証記憶領域に保持された暗号化権利情報を読み出す工程と、
前記読み出した暗号化権利情報を復号化して平文権利情報を取り出す工程と、
前記平文権利情報を前記通常記憶領域に保持する工程と、を含む権利情報管理方法。
【請求項８】
請求項１に記載の権利情報管理方法であって、
前記平文権利情報のハッシュ値を前記コンテンツ処理装置のメモリ領域に保持することを特徴とする権利情報管理方法。
【請求項９】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、
前記認証記憶領域に保持された暗号化権利情報を読み出す工程と、
前記読み出した暗号化権利情報を復号化して平文権利情報を取り出す工程と、
前記平文権利情報を保持する前記記憶媒体の空き領域を確認する工程と、
前記記憶媒体の空き領域が不足する時、前記平文権利情報を前記記憶媒体に格納可能なサイズの平文権利情報１と、残りの平文権利情報２とに分割する工程と、
前記平文権利情報１を前記通常記憶領域に保持する工程と、
前記平文権利情報２を前記コンテンツ処理装置のメモリ領域に保持する工程と、を含む権利情報管理方法。
【請求項１０】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、
前記認証記憶領域に保持された暗号化権利情報を読み出す工程と、
前記読み出した暗号化権利情報を復号化して平文権利情報を取り出す工程と、
前記平文権利情報を前記コンテンツ処理装置のメモリ領域に保持する工程と、を含む権利情報管理方法。
【請求項１１】
請求項１０に記載の権利情報管理方法であって、
前記平文権利情報を前記コンテンツのフォーマット種別により分割して保持することを特徴とする権利情報管理方法。
【請求項１２】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、
前記認証記憶領域に保持された暗号化権利情報を読み出す工程と、
前記読み出した暗号化権利情報を復号化して平文権利情報を取り出す工程と、
前記平文権利情報を前記認証記憶領域に平文の状態にて保持する工程と、を含む権利情報管理方法。
【請求項１３】
請求項３に記載の権利情報管理方法であって、
前記コンテンツ領域をＳＤメモリカードのSD-Video規格、SD-Audio規格、SD-Binding規格他によって定められた領域とすることを特徴とする権利情報管理方法。
【請求項１４】
請求項４に記載の権利情報管理方法であって、
前記コンテンツ領域をＳＤメモリカードのSD-Video規格、SD-Audio規格、SD-Binding規格他によって定められた領域とすることを特徴とする権利情報管理方法。
【請求項１５】
請求項７に記載の権利情報管理方法であって、
前記コンテンツ領域をＳＤメモリカードのSD-Video規格、SD-Audio規格、SD-Binding規格他によって定められた領域とすることを特徴とする権利情報管理方法。
【請求項１６】
請求項１に記載の権利情報管理方法であって、
前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法。
【請求項１７】
請求項７に記載の権利情報管理方法であって、
前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法。
【請求項１８】
請求項９に記載の権利情報管理方法であって、
前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法。
【請求項１９】
請求項１０に記載の権利情報管理方法であって、
前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法。
【請求項２０】
請求項１２に記載の権利情報管理方法であって、
前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法。
【請求項２１】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、
前記認証記憶領域に保持された暗号化権利情報を読み出す手段と、
前記読み出した暗号化権利情報を復号化して平文権利情報を取り出す手段と、
前記平文権利情報を前記通常記憶領域に保持する手段と、を備えた権利情報管理装置。
【請求項２２】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、
前記認証記憶領域に保持された暗号化権利情報を読み出す手段と、
前記読み出した暗号化権利情報を復号化して平文権利情報を取り出す手段と、
前記平文権利情報を前記コンテンツ処理装置のメモリ領域に保持する手段と、を備えた権利情報管理装置。
【請求項２３】
コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、
前記認証記憶領域に保持された暗号化権利情報を読み出す手段と、
前記読み出した暗号化権利情報を復号化して平文権利情報を取り出す手段と、
前記平文権利情報を前記認証記憶領域に平文の状態にて保持する手段と、を備えた権利情報管理装置。
【請求項２４】
請求項１に記載の権利情報管理方法であって、
あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法。
【請求項２５】
請求項７に記載の権利情報管理方法であって、
あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法。
【請求項２６】
請求項９に記載の権利情報管理方法であって、
あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法。
【請求項２７】
請求項１０に記載の権利情報管理方法であって、
あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法。
【請求項２８】
請求項１２に記載の権利情報管理方法であって、
あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法。
【発明の詳細な説明】
【技術分野】
【０００１】
本発明は、コンテンツ処理装置を通じて、記憶媒体内に管理されるコンテンツとその権利情報を、利用者に対して高速に通知できるようにする権利情報管理方法および権利情報管理装置に関するものである。
【背景技術】
【０００２】
近年、コンテンツの著作権保護の必要性が高まり、地上波デジタル放送などでは、権利情報を含んだコンテンツ配信が行われるようになってきた。そのコンテンツを記憶媒体に記録する際には、コンテンツと合わせて権利情報を記録する必要がある。
【０００３】
その権利情報の中には、移動可否/コピー可否/再生可否や、移動回数/コピー回数/再生回数などの著作権を保護する上での重要な情報が含まれており、各機器ではそれぞれの権利情報に基づいて、コンテンツを扱わなければならなくなってきている。
【０００４】
従来のコンテンツとその権利情報を関連してコンテンツ使用者に通知する方法として、権利情報格納部にコンテンツに対する権利情報のデータ（権利情報があるか否か、移動可能であるか否か、もしくは残りチェックアウト回数など）を記録し、ＧＵＩ部で曲名に対応させて、権利情報のデータに対応するアイコンをディスプレイに表示させることで、使用者にコンテンツの利用条件を知らせることができるようにした情報処理装置（例えば、特許文献１参照）が提案されている。
【特許文献１】特開２００２−３１２５２２公報
【発明の開示】
【発明が解決しようとする課題】
【０００５】
近年、著作権保護強化のために、コンテンツの権利情報を保持する記録媒体において、相互認証を経た後にアクセスが可能な認証記憶領域に、暗号化して保持するようになってきている。
【０００６】
このため、各機器の利用者に対して、コンテンツ及びその情報とともに権利情報を表示する場合に、各コンテンツの権利情報を取得する度に、記憶媒体との相互認証処理、認証記憶領域から暗号化権利情報の読み出し、暗号化権利情報の復号処理が必要となる。このため、利用者に権利情報を通知するのに非常に時間を要し、複数のコンテンツの権利情報を一括表示する際には、利用者に権利情報の表示時間待ちの負荷をかけるという問題を有していた。
【課題を解決するための手段】
【０００７】
本発明の請求項１に係る権利情報管理方法は、図１に示すように、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、前記認証記憶領域に保持された暗号化権利情報を読み出す工程と、前記読み出した暗号化権利情報を復号化して平文権利情報を取り出す工程と、前記平文権利情報を前記通常記憶領域に保持する工程と、を含む権利情報管理方法である。
【０００８】
本発明の請求項１に係る権利情報管理方法によると、コンテンツ処理装置の利用者に権利情報を表示する際に、通常記憶領域に保持された平文権利情報を読み出すことで、利用者に権利情報を高速に通知することができる。
【０００９】
本発明の請求項２に係る権利情報管理方法は、請求項１に記載の権利情報管理方法であって、前記平文権利情報を暗号化して前記通常記憶領域に保持することを特徴とする権利情報管理方法である。
【００１０】
本発明の請求項２に係る権利情報管理方法によると、通常記憶領域に格納される平文権利情報ファイルが、コンテンツ処理装置の利用者によって読み出される恐れがなくなるとともに、既存の処理とは違い認証記憶領域へのアクセスを全く実施する必要がなくなるため、権利情報の表示の高速化を図ることができる。
【００１１】
本発明の請求項３に係る権利情報管理方法は、図２に示すように、請求項１に記載の権利情報管理方法であって、前記通常記憶領域は、用途毎に管理されアクセス可能なコンテンツ領域と、用途に関わらずデータを保持可能なデータ領域とからなり、前記コンテンツ領域にコンテンツとその管理情報が保持され、前記平文権利情報を前記コンテンツ領域の管理情報内に保持することを特徴とする権利情報管理方法である。
【００１２】
本発明の請求項３に係る権利情報管理方法によると、通常記憶領域に格納される平文権利情報を、表示対象とするコンテンツと同じコンテンツフォルダ内に格納できるため、コンテンツと関連付けて権利情報の表示を行う場合に、無用なユーザフォルダ/ユーザファイルへのアクセスが全くなくなるために、権利情報の表示の高速化を図ることができる。
【００１３】
本発明の請求項４に係る権利情報管理方法は、図３に示すように、請求項１に記載の権利情報管理方法であって、前記通常記憶領域は、用途毎に管理されアクセス可能なコンテンツ領域と、用途に関わらずデータを保持可能なデータ領域とからなり、前記コンテンツ領域にコンテンツとその管理情報が保持され、前記コンテンツ処理装置側の利用用途により前記平文権利情報を前記データ領域に分割して保持することを特徴とする権利情報管理方法である。
【００１４】
本発明の請求項４に係る権利情報管理方法によると、特定のアプリケーションの権利情報を１つの平文権利情報ファイルにまとめることができ、高速に権利情報を表示することができる。
【００１５】
本発明の請求項５に係る権利情報管理方法は、請求項４に記載の権利情報管理方法であって、前記平文権利情報を前記コンテンツ処理装置の種別により分割して保持することを特徴とするものである。
【００１６】
本発明の請求項５に係る権利情報管理方法によると、特定のコンテンツ処理装置の権利情報を１つの平文権利情報ファイルにまとめることができ、高速に権利情報を表示することができる。
【００１７】
本発明の請求項６に係る権利情報管理方法は、請求項４に記載の権利情報管理方法であって、前記平文権利情報を前記コンテンツのフォーマット種別により分割して保持することを特徴とする権利情報管理方法である。
【００１８】
本発明の請求項６に係る権利情報管理方法によると、特定のフォーマットの権利情報を１つの平文権利情報ファイルにまとめることができ、高速に権利情報を表示することができる。
【００１９】
本発明の請求項７に係る権利情報管理方法は、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、前記通常記憶領域は、用途毎に管理されアクセス可能なコンテンツ領域と、用途に関わらずデータを保持可能なデータ領域とからなり、前記コンテンツ領域にコンテンツとその管理情報が保持され、前記コンテンツ領域内のコンテンツと暗号化権利情報へのリンク情報を含む管理情報の存在を確認する工程と、前記管理情報の存在が確認された時、前記リンク情報に基づき前記認証記憶領域に保持された暗号化権利情報を読み出す工程と、前記読み出した暗号化権利情報を復号化して平文権利情報を取り出す工程と、前記平文権利情報を前記通常記憶領域に保持する工程と、を含む権利情報管理方法である。
【００２０】
本発明の請求項７に係る権利情報管理方法によると、暗号化権利情報へのリンク情報が確立された処理が有効な権利情報のみをコンテンツ処理装置利用者に表示することができ、利用者が無用な処理を行うことがなくなる。
【００２１】
本発明の請求項８に係る権利情報管理方法は、請求項１に記載の権利情報管理方法であって、前記平文権利情報のハッシュ値を前記コンテンツ処理装置のメモリ領域に保持することを特徴とする権利情報管理方法である。
【００２２】
本発明の請求項８に係る権利情報管理方法によると、通常記憶領域に格納される平文権利情報ファイルをコンテンツ処理装置の利用者によって、改ざんされる恐れがなくなるとともに、認証記憶領域へのアクセス、暗号化権利情報の復号化処理を全く実施する必要がなくなるために、権利情報の表示の高速化を図ることができる。
【００２３】
本発明の請求項９に係る権利情報管理方法は、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、前記認証記憶領域に保持された暗号化権利情報を読み出す工程と、前記読み出した暗号化権利情報を復号化して平文権利情報を取り出す工程と、前記平文権利情報を保持する前記記憶媒体の空き領域を確認する工程と、前記記憶媒体の空き領域が不足する時、前記平文権利情報を前記記憶媒体に格納可能なサイズの平文権利情報１と、残りの平文権利情報２とに分割する工程と、前記平文権利情報１を前記通常記憶領域に保持する工程と、前記平文権利情報２を前記コンテンツ処理装置のメモリ領域に保持する工程と、を含む権利情報管理方法である。
【００２４】
本発明の請求項９に係る権利情報管理方法によると、記憶媒体の空き領域が確保できない場合においても、平文権利情報ファイルを作成することができる。
【００２５】
本発明の請求項１０に係る権利情報管理方法は、図４に示すように、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、前記認証記憶領域に保持された暗号化権利情報を読み出す工程と、前記読み出した暗号化権利情報を復号化して平文権利情報を取り出す工程と、前記平文権利情報を前記コンテンツ処理装置のメモリ領域に保持する工程と、を含む権利情報管理方法である。
【００２６】
本発明の請求項１０に係る権利情報管理方法によると、記憶媒体の所定の位置から平文権利情報ファイルを読み出す必要がなくなり、より一層権利情報の表示の高速化を図ることができる。
【００２７】
本発明の請求項１１に係る権利情報管理方法は、請求項１０に記載の権利情報管理方法であって、前記平文権利情報を前記コンテンツのフォーマット種別により分割して保持することを特徴とする権利情報管理方法である。
【００２８】
本発明の請求項１１に係る権利情報管理方法によると、所望のフォーマットのコンテンツの権利情報を検索することなく、高速に権利情報を表示することができる。
【００２９】
本発明の請求項１２に係る権利情報管理方法は、図５に示すように、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理方法であって、前記認証記憶領域に保持された暗号化権利情報を読み出す工程と、前記読み出した暗号化権利情報を復号化して平文権利情報を取り出す工程と、前記平文権利情報を前記認証記憶領域に平文の状態にて保持する工程と、を含む権利情報管理方法である。
【００３０】
本発明の請求項１２に係る権利情報管理方法によると、認証記憶領域に格納される平文権利情報ファイルをコンテンツ処理装置の利用者によって、読み出されたり、改ざんされたりする恐れがなくなるとともに、既存の処理とは違い暗号化権利情報の復号処理を全く実施する必要がなくなるために、権利情報の表示の高速化を図ることができる。
【００３１】
本発明の請求項１３〜１５に係る権利情報管理方法は、請求項３，４，７のいずれかに記載の権利情報管理方法であって、前記コンテンツ領域をＳＤメモリカードのSD-Video規格、SD-Audio規格、SD-Binding規格他によって定められた領域とすることを特徴とする権利情報管理方法である。
【００３２】
本発明の請求項１６〜２０に係る権利情報管理方法は、請求項１，７，９，１０，１２のいずれかに記載の権利情報管理方法であって、前記平文権利情報をコンテンツ処理装置上で更新して更新済平文権利情報を作成し、前記更新済平文権利情報を暗号化して前記認証記憶領域の暗号化権利情報を更新し、前記更新済平文権利情報にて前記記憶領域に保持される平文権利情報を更新することを特徴とする権利情報管理方法である。
【００３３】
本発明の請求項２１に係る権利情報管理装置は、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、前記認証記憶領域に保持された暗号化権利情報を読み出す手段と、前記読み出した暗号化権利情報を復号化して平文権利情報を取り出す手段と、前記平文権利情報を前記通常記憶領域に保持する手段と、を備えた権利情報管理装置である。
【００３４】
本発明の請求項２２に係る権利情報管理装置は、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、前記認証記憶領域に保持された暗号化権利情報を読み出す手段と、前記読み出した暗号化権利情報を復号化して平文権利情報を取り出す手段と、前記平文権利情報を前記コンテンツ処理装置のメモリ領域に保持する手段と、を備えた権利情報管理装置である。
【００３５】
本発明の請求項２３に係る権利情報管理装置は、コンテンツ処理装置との間における相互認証を経た後にアクセスが可能な認証記憶領域と、当該相互認証を経ずにアクセスが可能な通常記憶領域とを備えた記憶媒体に保持されたコンテンツに対する権利情報の管理装置であって、前記認証記憶領域に保持された暗号化権利情報を読み出す手段と、前記読み出した暗号化権利情報を復号化して平文権利情報を取り出す手段と、前記平文権利情報を前記認証記憶領域に平文の状態にて保持する手段と、を備えた権利情報管理装置である。
【００３６】
本発明の請求項２４〜２８に係る権利情報管理方法は、請求項１，７，９，１０，１２のいずれかに記載の権利情報管理方法であって、あらかじめ前記記憶領域に保持される平文権利情報と前記認証記憶領域に保持される暗号化権利情報を復号化して取り出された平文権利情報との内容を比較し、比較内容が一致しない場合に、前記記憶領域の平文権利情報を前記認証記憶領域の暗号化権利情報を復号化して取り出された平文権利情報にて内容を更新することを特徴とする権利情報管理方法である。
【発明の効果】
【００３７】
本発明では、各コンテンツの権利情報表示毎に、記憶媒体との相互認証処理や、認証記憶領域から暗号化権利情報の読み出し処理や、暗号化権利情報の復号処理を行うことなく、平文権利情報を取得することができ、利用者に対してコンテンツの権利情報を高速に通知することができるとともに、記憶媒体を共有する機器間での平文権利情報の共有が図れ、かつ、権利情報の改ざん防止、正当性の保証が行える。
【発明を実施するための最良の形態】
【００３８】
（実施の形態１）
本発明の実施の形態１について、図面を参照しながら説明する。
【００３９】
まず、図６を用いて、コンテンツ権利情報表示システムの構成について説明する。
【００４０】
図６において、記憶媒体としてメモリカード１１を例にとって説明するが、この権利情報管理方法を実現するのはメモリカード１１に限るものではなく、他の記憶媒体、例えばＤＶＤやＨＤＤやＲＡＭ、その他のあらゆる記憶媒体であってもよい。
【００４１】
コンテンツ処理装置としては、携帯電話１２を例にとって説明するが、権利情報管理方法を実現するのは携帯電話１２に限るものではなく、他の民生機器、例えばテレビ１３やＤＶＤレコーダ１４やデジタルカメラ１５や動画ビューワ１６、その他のあらゆるコンテンツ処理装置であってもよい。
【００４２】
図１は、本実施の形態１のコンテンツ権利情報管理方法の構成図を示している。
【００４３】
メモリカード１１は、制御部２１と通常記憶領域２２と認証記憶領域２３とから構成されている。制御部２１は、携帯電話１２からのデータの読出し、書込み要求に対して、通常記憶領域２２と認証記憶領域２３のデータ入出力制御を行うものである。なお、詳細については図７に示す。
【００４４】
携帯電話１２は、制御部２４と暗号処理部２５とメモリ領域２６と表示部２７とから構成されている。なお、その他の構成部分は、本発明と直接関係しないので、図示ならびに説明は省略する。制御部２４は外部記憶媒体からのデータの読出し、書込み、認証処理の制御、及び内部ブロックの制御を行うものであり、暗号処理部２５は制御部２４より指定されたデータを暗号化/復号化を行うものであり、メモリ領域２６は制御部２４より指定されたデータを記憶する領域であり、表示部２７は制御部２４より指定されたデータを画面に表示を行うものである。
【００４５】
図７は、メモリカード１１内のファイル構成図を示している。
【００４６】
メモリカード１１は、例えばＳＤメモリカード（商標）であって、SD-Video規格に対応したフォルダ/ファイル構成で管理されている。ただし、ＳＤメモリカード、SD-Video規格に限るものではなく、SD-Audio規格、SD-Binding規格などのその他のSDカード応用規格であってもよいし、各種記憶媒体で規定される規格であってもよい。
【００４７】
図７のファイル構成図において、相互認証を経ずにアクセスが可能な領域を通常記憶領域２２、相互認証を経た後にアクセスが可能な領域を認証記憶領域２３と呼ぶこととする。
【００４８】
通常記憶領域２２内には、アプリフォルダ３１や、ユーザが自由に利用可能なユーザフォルダ（データ領域）３２がある。さらに、アプリフォルダ３１内には、全体管理ファイル３４および全コンテンツ管理ファイル３５を格納する管理フォルダ（コンテンツ領域）３３や、複数のコンテンツを１つとして管理するコンテンツフォルダ（コンテンツ領域）３６や、ユーザが自由に利用可能なユーザフォルダ（データ領域）３７がある。さらに、コンテンツフォルダ３６内には、管理ファイル３７と暗号化コンテンツ３８が格納され、ユーザフォルダ３２，３７内には、平文権利情報ファイル３９が格納される。
【００４９】
認証記憶領域２３内には、アプリフォルダ４１があり、その中には、全体管理ファイル４２及び、複数の暗号化された鍵や暗号化された権利情報を格納する暗号化鍵/権利管理ファイル４３が格納される。
【００５０】
なお、ここで述べたファイル構成は一例であり、管理ファイルの数、大きさ、役割などは特に図示のものに限定されるものではない。
【００５１】
本実施の形態では、メモリカード１１に格納されるコンテンツとその権利情報一覧を、図８に示すように、携帯電話１２の表示部２７に高速に表示する。コンテンツ権利情報管理方法に関して以下に詳細を説明する。コンテンツ権利情報管理方法としては、平文権利情報ファイルを作成する処理と、平文権利情報ファイルに基づいて表示する処理と、平文権利情報ファイルを更新する３つのステップに分けて説明する。
【００５２】
まず、図９，１０に示す平文権利情報ファイル作成時の存在チェックフロー、平文権利情報ファイル作成フローに従って、平文権利情報ファイルの作成手順について説明する。
【００５３】
上記処理を行う想定場面としては、携帯電話１２にメモリカード１１が挿入された場合、携帯電話１２でアプリケーションを起動した場合など様々な場面が想定され、携帯電話１２などのコンテンツ処理装置依存であって任意のタイミングであってもよい。
【００５４】
まず、図９に示す平文権利情報ファイルの存在をチェックする処理について説明する。
【００５５】
携帯電話１２からメモリカード１１上に平文権利情報ファイル作成が要求されると、まずメモリカード１１上の通常記憶領域２２内にアプリフォルダ３１の有無を確認する（ステップ５１）。ステップ５１にて、アプリフォルダ３１がない場合は、特に処理を行わず異常終了し、アプリフォルダ３１が存在している場合は、ステップ５２に進む。ステップ５２では、アプリフォルダ３１以下におけるユーザフォルダ３７の有無を確認し、ユーザフォルダ３７がない場合には、ユーザフォルダを新規作成する（ステップ５３）。ここで、ユーザフォルダ３７をアプリフォルダ３１以下と規定したが、ユーザフォルダ３２のように、ルート以下に存在していてもよく、またアプリフォルダ３１やルート以下にあるユーザフォルダ名は、規格で定義される予約名称以外であれば任意のフォルダ名であってもよい。
【００５６】
ステップ５２にて、ユーザフォルダ３７がすでに存在している場合には、ステップ５４に進む。ステップ５４では、ユーザフォルダ３７以下における表示用の平文権利情報ファイル３９の有無を確認し、平文権利情報ファイル３９が存在する場合には、作成する必要がないために、処理は正常に終了する。ここで、平文権利情報ファイル３９をユーザフォルダ３７以下と規定したが、ユーザフォルダ３７以下に存在していなくてもよく、またサブフォルダが何階層にも形成され、そのサブフォルダ以下に平文権利情報ファイル３９が存在していてもよい。さらに、平文権利情報ファイル３９と規定したが、別にファイルとして存在する必要はなく、別ファイルの中の一領域に存在したり、何ら任意の部分に存在してもよい。
【００５７】
次に、図１０に示す平文権利情報ファイルの作成を行う処理について説明する。
【００５８】
ステップ５４（図９）にて、平文権利情報ファイル３９が存在していない場合に、携帯電話１２とメモリカード１１間において、規格で定められた相互認証処理を行い、メモリカード１１が正当なものであることを確認する（ステップ６１）。ステップ６１にて、メモリカード１１が正当なものでない場合は、直ちに処理が中断され異常終了する。ステップ６１にて、メモリカード１１が正当なものであることが確認された場合には、ステップ６２に進み、メモリカード１１の認証記憶領域２３内における未処理の暗号化鍵/権利管理ファイル４３の有無を確認する。ステップ６２にて、未処理の暗号化鍵／権利管理ファイル４３が存在する場合には、ステップ６３に進み、当該暗号化鍵/権利管理ファイル４３を、携帯電話１２の制御部２４を通じてメモリ領域２６に読み出す。ただし、暗号化鍵/権利管理ファイル４３の読み出しに際して、当該ファイルを全て読み出さずに、適切なサイズに分割して読み出して処理をしてもよい。暗号化鍵／権利管理ファイル４３が１つも存在しない場合には、特に処理を行わないものとする。
【００５９】
ステップ６３にて、暗号化鍵/権利管理ファイル４３を正常に読み出すことができた場合に、携帯電話１２の制御部２４により、暗号化鍵/権利管理ファイル４３内で有効な暗号化鍵/権利情報を確認する。有効な暗号化鍵/権利情報がない場合には、処理を終了するものとする。有効な暗号化鍵/権利情報がある場合には、ステップ６４に進み、有効な暗号化鍵/権利情報内における未処理の暗号化権利情報の有無を確認する。ステップ６４にて、未処理の暗号化権利情報が存在する場合には、ステップ６５に進み、携帯電話１２の暗号処理部２５を用いて、暗号化権利情報を復号化して平文権利情報を取り出す。さらに、平文権利情報の中から表示に必要な権利情報のみを抽出し、その抽出した平文権利情報を平文権利情報群として携帯電話１２のメモリ領域２６に保持する（ステップ６６）。
【００６０】
上記処理を平文権利情報の取得処理と定義する。図１１に、保持するデータ構造の例を示す。ここでは、暗号化権利情報へのリンク情報と平文権利情報をペアで管理するが、あくまでも例であり、ここに示す平文権利情報は、再生/移動/コピー可否と、再生/移動/コピー残回数だが、その他の平文権利情報が含まれていてもよい。
【００６１】
ここでは、複数の平文権利情報群がまとまるまでは、メモリカード１１に書き込む処理を行なわずに、携帯電話１２のメモリ領域２６に保持するが、ただちにメモリカード１１に書き込む処理を行ってもよい。
【００６２】
次に、暗号化鍵／権利管理ファイル４３内に他の有効な暗号化鍵/権利情報を確認し、未取得の暗号化権利情報が無くなるまで、上記の平文権利情報の取得処理を行い、携帯電話１２のメモリ領域２６の平文権利情報群を更新し保持する処理を繰り返す。さらに、他の暗号化鍵/権利管理ファイル４３が存在する場合には、他の暗号化鍵/権利管理ファイル４３を読み出した後に、上記の平文権利情報の取得処理を行い、携帯電話１２のメモリ領域２６の平文権利情報群を更新し保持する処理を繰り返す。上記の平文権利情報の取得処理を繰り返し、全ての暗号化鍵/権利情報、及び全ての暗号化鍵/権利管理ファイル４３から平文権利情報の取得を行うまで処理を繰り返す。
【００６３】
上記繰り返し処理が終了すると、ステップ６７に進み、携帯電話１２のメモリ領域２６の平文権利情報が存在する場合には、携帯電話１２のメモリ領域２６に保持している全ての平文権利情報群を一つの平文権利情報ファイル３９にして、携帯電話１２の制御部２４を通して、メモリカード１１のアプリフォルダ３１以下のユーザフォルダ３７内に記録する（ステップ６８）。
【００６４】
ここでは、全ての暗号化鍵/権利管理ファイル４３、及び暗号化鍵/権利情報に関して処理を行い、全ての平文権利情報を携帯電話１２のメモリ領域２６上に保持し、一つの平文権利情報ファイル３９としてメモリカード１１のユーザフォルダ３７内に書き込んでいた。しかし、必ずしも全ての権利情報に対して処理を行う必要はなく、携帯電話１２のメモリ領域２６に応じて、または表示に必要な数に応じて処理を実施する暗号化鍵/権利情報数を省いたり、平文権利情報ファイルを分割してメモリカード１１に書き込む処理を行ってもよい。
【００６５】
平文権利情報ファイル３９の名称、構造に関してここでは特に規定せず、全くの任意であるが、ファイル名及びファイル構造をある特定の共有する単位で規定しておけば、メモリカード１１を共有する機器間で平文権利情報を共通化することができる。今回記録した平文権利情報ファイル３９はメモリカード１１の通常記憶領域２２に置かれるため、利用者によって改ざんや変更される恐れがある。しかし、平文権利情報ファイル３９はあくまでも表示用の権利情報であり、実際に権利情報を変更する処理には、認証記憶領域２３の暗号化鍵/権利情報を使用するために、セキュリティ上、何ら問題とならない。
【００６６】
次に、図１２，１３の平文権利情報ファイル表示時の存在チェックフロー、平文権利情報ファイル表示フローに従って、平文権利情報ファイルの表示手順について説明する。
【００６７】
まず、図１２に示す平文権利情報ファイルの存在をチェックする処理について説明する。
【００６８】
携帯電話１２からメモリカード１１に対して平文権利情報ファイル表示の要求が成されると、まずメモリカード１１上の通常記憶領域２２内におけるアプリフォルダ３１の有無を確認し（ステップ７１）、アプリフォルダ３１がない場合には、異常を通知して終了する。ステップ７１にて、アプリフォルダ３１が存在している場合には、アプリフォルダ３１以下におけるユーザフォルダ３７の有無を確認し（ステップ７２）、ユーザフォルダ３７がない場合には、異常を通知して終了する。
【００６９】
ステップ７２にて、ユーザフォルダ３７がすでに存在している場合には、ユーザフォルダ３７以下に表示用の平文権利情報ファイル３９の有無を確認し（ステップ７３）、平文権利情報ファイル３９が存在しない場合には、異常を通知して終了する。もしくは、前述の図１０に示す平文権利情報ファイルの作成処理に基づいて、再度平文権利情報ファイルを作成する。ステップ７３にて、平文権利情報ファイル３９が存在する場合には、平文権利情報ファイル３９を携帯電話１２の揮発性メモリ領域に一時的に読み出す（ステップ７４）。
【００７０】
次に、図１３に示す平文権利情報ファイルの表示を行う処理について説明する。
【００７１】
ステップ８１にて、表示対象コンテンツの有無を確認し、対象コンテンツがない場合は処理を終了し、対象コンテンツが存在する場合にはステップ８２に進む。ステップ８２にて、コンテンツフォルダ３６内での表示対象の暗号化コンテンツ３８の有無を確認し、暗号化コンテンツ３８が存在しない場合、権利情報とのリンクを取得できないため、異常とみなし終了する。
【００７２】
ステップ８２にて、表示対象の暗号化コンテンツ３８が存在する場合、ステップ８３に進み、コンテンツフォルダ３６内にそのコンテンツを管理する管理ファイル３７、及び管理フォルダ３３内に全コンテンツ管理ファイル３５の有無を確認する。管理ファイル３７，全コンテンツ管理ファイル３５の内、暗号化権利情報へのリンク情報を取得するにあたって必要とする管理ファイルが存在しない場合、異常とみなし終了する。
【００７３】
当該管理ファイルが存在する場合、携帯電話１２の制御部２４を通じて必要とする管理ファイルをメモリ領域２６に読み出し、その管理ファイル内に格納される暗号化権利情報へのリンク情報の有無を確認する（ステップ８４）。暗号化権利情報へのリンク情報が存在しない場合、異常とみなし終了する。
【００７４】
ステップ８４にて、暗号化権利情報へのリンク情報が存在する場合、携帯電話１２の制御部２４を通じて、先ほど不揮発性メモリ領域に読み出しておいた平文権利情報ファイル３９の中から、暗号化権利情報へのリンク情報に対応する平文権利情報を取得する（ステップ８５）。次に、取得した平文権利情報を携帯電話１２の表示部２７を通して画面に表示することによってユーザに権利情報を通知する（ステップ８６）。本処理を必要コンテンツ数だけ繰り返すことで、携帯電話１２の画面に、図８のようなコンテンツの権利情報を表示することができる。
【００７５】
本処理により、既存の権利情報の表示とは違い、コンテンツ毎に認証記憶領域２３へのアクセスのための相互認証処理や、暗号化権利情報を復号化する処理を行う必要がなくなり、高速にユーザに権利情報を表示することができる。通常記憶領域２２に平文権利情報ファイル３９を一度作成し格納しておくことで、携帯電話１２以外に、テレビ１３やＤＶＤレコーダ１４やデジタルカメラ１５や動画ビューワ１６、その他のあらゆるコンテンツ処理装置にメモリカード１１を使用して、ユーザは高速に権利情報を確認することができる。
【００７６】
最後に、図１４に示す平文権利情報ファイル更新フローについて説明する。
【００７７】
図１２に示す平文権利情報ファイル３９の存在をチェックする処理を説明済みであることから、今回は、平文権利情報ファイル３９の携帯電話１２の不揮発性領域への読み出しが正常に終了したことを前提とし、以降の処理に関してのみ説明する。
【００７８】
ステップ９１にて、携帯電話１２とメモリカード１１間において、規格で定められた相互認証処理を行い、メモリカード１１が正当なものであることを確認する。正当なものでない場合は、直ちに処理が中断され異常終了する。ステップ９１にて、メモリカード１１が正当なものであることが確認された場合、ステップ９２に進む。ステップ９２にて、認証記憶領域２３内に更新可能な暗号化鍵/権利管理ファイル４３の存在の有無を確認する。更新可能な暗号化鍵/権利管理ファイル４３がない場合は、直ちに処理が中断され異常終了する。ステップ９２にて、更新可能な暗号化鍵/権利管理ファイル４３がある場合、メモリカード１１の認証記憶領域２３に格納される更新を行いたい暗号化鍵/権利管理ファイル４３を、携帯電話１２の制御部２４を通じてメモリ領域２６に読み出す（ステップ９３）。
【００７９】
ステップ９３にて、暗号化鍵/権利管理ファイル４３正常に読み出せた場合に、携帯電話１２の制御部２４により、暗号化鍵/権利管理ファイル４３内で更新対象となる暗号化鍵/権利情報を確認する（ステップ９４）。更新対象となる暗号化鍵/権利情報がない場合には、処理を終了するものとする。更新対象となる暗号化鍵/権利情報がある場合に、携帯電話１２のメモリ領域２６に取得する。別途、携帯電話１２の制御部２４より必要な更新情報を取得する（ステップ９５）。携帯電話１２の暗号処理部２５を用いて、暗号化鍵/権利情報の暗号化権利情報を復号化して平文権利情報を取り出す。その平文権利情報に更新情報を用いて更新を行い、更新済平文権利情報を作成し、再度暗号処理部２５を用いて暗号化を行い、更新済暗号化鍵/権利管理ファイルを更新する（ステップ９６）。同様に、すでに携帯電話１２の不揮発性領域へ読み出してある平文権利情報ファイルに関して、更新情報を用いて更新を行い、更新済平文権利情報ファイルを作成する（ステップ９７）。更新済暗号鍵/権利管理ファイルを認証記憶領域２３内の元の位置に書き込み（ステップ９８）、更新済平文権利情報ファイルを通常記憶領域２２内の元の位置に書き込む（ステップ９９）。
【００８０】
暗号化鍵/権利管理ファイルと平文権利情報ファイルを同時に更新することで、暗号化鍵/権利情報管理ファイル内の実権利情報と表示用の平文権利情報との整合性を常に確保することができる。
【００８１】
（実施の形態２）
本発明の実施の形態２について説明する。
【００８２】
本実施の形態２は、平文権利情報ファイルを暗号化して保持する点が実施の形態１と異なる他は、実施の形態１と同様である。
【００８３】
すなわち、平文権利情報ファイルの作成，表示，更新において、それぞれ実施の形態１と比べ、下記の点が異なる。
【００８４】
平文権利情報ファイルの作成については、図１０に示すフローチャートのステップ６８の「作成した平文権利情報を平文権利情報ファイルとしてユーザフォルダ内に書き込む」が、「作成した平文権利情報をコンテンツ処理装置が持つ鍵情報で暗号化して、暗号化権利情報ファイルとしてユーザフォルダ内に書き込む」となる。
【００８５】
平文権利情報ファイルの表示については、図１２に示すフローチャートのステップ７４の「平文権利情報ファイルをコンテンツ処理装置のメモリ領域に一時的に読み出す」が、「暗号化権利情報ファイルをコンテンツ処理装置のメモリ領域に一時的に読み出し、コンテンツ処理装置が持つ鍵情報で復号化する」となる。
【００８６】
平文権利情報ファイルの更新については、図１４に示すフローチャートのステップ９９の「更新済平文権利情報ファイルを通常記憶領域内の元の位置に書き込む」が、「更新済平文権利情報ファイルをコンテンツ処理装置が持つ鍵情報で暗号化して、通常記憶領域内の元の位置に書き込む」となる。
【００８７】
ここでコンテンツ処理装置が持つ鍵情報と記載したが、その鍵情報はコンテンツ処理装置固有のものであってもいいし、暗号化権利情報ファイルを共有する機器間で定められた鍵情報であってもよい。
【００８８】
上記処理によって、実施の形態１の効果に加えて、通常記憶領域２２に格納される平文権利情報ファイル３９を、携帯電話１２の利用者によって読み出される恐れがなくなる。さらに、既存の処理とは違い、認証記憶領域２３へのアクセスを全く実施する必要がなくなるため、権利情報の表示の高速化を図ることができる。
【００８９】
（実施の形態３）
本発明の実施の形態３について説明する。なお、本実施の形態３は、図２に対応するものである。
【００９０】
本実施の形態３は、平文権利情報ファイルをユーザフォルダ内に格納するのではなく、コンテンツフォルダ内、またはコンテンツフォルダ内の管理ファイル内に保持する点が実施の形態１と異なる他は、実施の形態１と同様である。
【００９１】
すなわち、平文権利情報ファイルの作成，表示，更新において、それぞれ実施の形態１と比べ、下記の点が異なる。
【００９２】
平文権利情報ファイルの作成については、図１０に示すフローチャートのステップ６８の「作成した平文権利情報を平文権利情報ファイルとしてユーザフォルダ内に書き込む」が、「作成した平文権利情報を平文権利情報ファイルとして、コンテンツフォルダ内、またはコンテンツフォルダ内に格納される管理ファイル内に書き込む」となる。
【００９３】
平文権利情報ファイルの表示については、図１２に示すフローチャートのステップ７４の「平文権利情報ファイルをコンテンツ処理装置のメモリ領域に一時的に読み出す」が、「コンテンツフォルダ内、またはコンテンツフォルダ内に格納される管理ファイルから、平文権利情報ファイルをコンテンツ処理装置のメモリ領域に一時的に読み出す」となる。
【００９４】
平文権利情報ファイルの更新については、図１４に示すフローチャートのステップ９９の「更新済平文権利情報ファイルを通常記憶領域内の元の位置に書き込む」が、「更新済平文権利情報ファイルを、コンテンツフォルダ内、またはコンテンツフォルダ内の管理ファイル内の元の位置に書き込む」となる。
【００９５】
上記処理によって、実施の形態１の効果に加えて、通常記憶領域に格納される平文権利情報を、表示対象とするコンテンツと同じコンテンツフォルダ内に格納できるため、コンテンツと関連付けて権利情報の表示を行う場合に、無用なユーザフォルダ/ユーザファイルへのアクセスが全くなくなるために、権利情報の表示の高速化を図ることができる。
【００９６】
（実施の形態４）
本発明の実施の形態４について説明する。なお、本実施の形態４は、図３に対応するものである。
【００９７】
本実施の形態４は、平文権利情報ファイルをユーザフォルダ内に格納する上で、アプリケーションの利用用途に合わせて分割管理する点が実施の形態１と異なる他は、実施の形態１と同様である。
【００９８】
すなわち、平文権利情報ファイルの作成，表示，更新において、それぞれ実施の形態１と比べ、下記の点が異なる。
【００９９】
平文権利情報ファイルの作成については、図１０に示すフローチャートのステップ６８の「作成した平文権利情報を平文権利情報ファイルとしてユーザフォルダ内に書き込む」が、「作成した平文権利情報をアプリケーションの利用用途毎にファイルを分割して、用途１平文権利情報ファイル、用途２平文権利情報ファイルとしてユーザフォルダ内に書き込む」となる。
【０１００】
平文権利情報ファイルの表示については、図１２に示すフローチャートのステップ７４の「平文権利情報ファイルをコンテンツ処理装置のメモリ領域に一時的に読み出す」が、「アプリケーションの利用用途に応じて用途１または２の平文権利情報ファイルをコンテンツ処理装置のメモリ領域に一時的に読み出す」となる。
【０１０１】
平文権利情報ファイルの更新については、図１４に示すフローチャートのステップ９９の「更新済平文権利情報ファイルを通常記憶領域内の元の位置に書き込む」が、「更新済平文権利情報ファイルを、アプリケーションの利用用途毎にファイルを分割して、用途１更新済平文権利情報ファイル、用途２更新済平文権利情報ファイルとして、通常記憶領域内の元の位置に書き込む」となる。
【０１０２】
既存の１つの平文権利情報ファイルのみの場合、携帯電話１２内にVideo、Audio、Documentなどのアプリケーション用途で平文権利情報を共有していた場合に、例えば携帯電話１２でVideo再生する際に必要な権利情報を探す際に、あらゆるアプリケーションの権利情報の中からVideoアプリケーションで有効な権利情報を検索することとなり、非常に処理に時間を要する。しかし、本実施の形態４の処理によって、実施の形態１の効果に加えて、Videoアプリケーションのみを１つの平文権利情報ファイルにまとめることができ、あらゆるアプリケーションの権利情報の中からVideoアプリケーションで有効な権利情報を検索することなく、高速に権利情報を表示することができる。
【０１０３】
（実施の形態５）
本発明の実施の形態５について説明する。
【０１０４】
本実施の形態５は、平文権利情報ファイルをユーザフォルダ内に格納する上で、コンテンツ処理装置の種別によって分割管理する点が実施の形態４と異なる他は、実施の形態４と同様である。
【０１０５】
すなわち、平文権利情報ファイルの作成，表示，更新において、それぞれ実施の形態１と比べ、下記の点が異なる。
【０１０６】
平文権利情報ファイルの作成については、図１０に示すフローチャートのステップ６８の「作成した平文権利情報を平文権利情報ファイルとしてユーザフォルダ内に書き込む」が、「作成した平文権利情報をコンテンツ処理装置の種別毎にファイルを分割して、機器種別１平文権利情報ファイル、機器種別２平文権利情報ファイルとしてユーザフォルダ内に書込む」となる。
【０１０７】
平文権利情報ファイルの表示については、図１２に示すフローチャートのステップ７４の「平文権利情報ファイルをコンテンツ処理装置のメモリ領域に一時的に読み出す」が、「コンテンツ処理装置の種別に応じて機器種別１または２の平文権利情報ファイルをコンテンツ処理装置のメモリ領域に一時的に読み出す」となる。
【０１０８】
平文権利情報ファイルの更新については、図１４に示すフローチャートのステップ９９の「更新済平文権利情報ファイルを通常記憶領域内の元の位置に書き込む」が、「更新済平文権利情報ファイルを、コンテンツ処理装置の種別毎にファイルを分割して、機器種別１更新済平文権利情報ファイル、機器種別２更新済平文権利情報ファイルとして、通常記憶領域内の元の位置に書き込む」となる。
【０１０９】
既存の１つの平文権利情報ファイルのみの場合、携帯電話１２、テレビ１３、ＤＶＤレコーダ１４、デジタルカメラ１５などで、それぞれのコンテンツ処理装置で平文権利情報を共有していた場合に、例えば携帯電話で表示に必要な権利情報を探す際に、あらゆるコンテンツ処理装置の権利情報の中から携帯電話で有効な権利情報を検索することとなり、非常に処理に時間を要する。しかし、実施の形態５の処理によって、実施の形態１の効果に加えて、携帯電話１２のみを１つの平文権利情報ファイルにまとめることができ、あらゆるコンテンツ処理装置の権利情報の中から携帯電話１２で有効な権利情報を検索することなく、高速に権利情報を表示することができる。
【０１１０】
（実施の形態６）
本発明の実施の形態６について説明する。
【０１１１】
本実施の形態６は、平文権利情報ファイルをユーザフォルダ内に格納する上で、コンテンツの再生フォーマット種別によって分割管理する点が実施の形態４と異なる他は、実施の形態４と同様である。
【０１１２】
すなわち、平文権利情報ファイルの作成，表示，更新において、それぞれ実施の形態１と比べ、下記の点が異なる。
【０１１３】
平文権利情報ファイルの作成については、図１０に示すフローチャートのステップ６８の「作成した平文権利情報を平文権利情報ファイルとしてユーザフォルダ内に書き込む」が、「作成した平文権利情報をコンテンツの再生フォーマット種別毎にファイルを分割して、フォーマット種別１平文権利情報ファイル、フォーマット種別２平文権利情報ファイルとしてユーザフォルダ内に書込む」となる。
【０１１４】
平文権利情報ファイルの表示については、図１２に示すフローチャートのステップ７４の「平文権利情報ファイルをコンテンツ処理装置のメモリ領域に一時的に読み出す」が、「コンテンツのフォーマット種別に応じてフォーマット種別１または２の平文権利情報ファイルをコンテンツ処理装置のメモリ領域に一時的に読み出す」となる。
【０１１５】
平文権利情報ファイルの更新については、図１４に示すフローチャートのステップ９９の「更新済平文権利情報ファイルを通常記憶領域内の元の位置に書き込む」が、「更新済平文権利情報ファイルを、コンテンツの再生フォーマット種別毎にファイルを分割して、フォーマット種別１更新済平文権利情報ファイル、フォーマット種別２更新済平文権利情報ファイルとして、通常記憶領域内の元の位置に書き込む」となる。
【０１１６】
既存の１つの平文権利情報ファイルのみの場合、携帯電話１２内にコンテンツのVideoのコーデックとして、ＡＳＦ，ＭＰ４，ＭＯＤなどの各種フォーマットの平文権利情報を共有していた場合に、例えばＭＰ４フォーマットのコンテンツのみに対応した携帯電話１２でVideo再生する際に必要な権利情報を探す際に、各種フォーマットを持つコンテンツの権利情報の中からＭＰ４フォーマットのコンテンツの権利情報を検索することとなり、非常に処理に時間を要する。しかし、実施の形態６の処理によって、実施の形態１の効果に加えて、ＭＰ４フォーマットのコンテンツの権利情報を１つの平文権利情報ファイルにまとめることができ、あらゆる動画フォーマットの権利情報の中からＭＰ４フォーマットのコンテンツの権利情報を検索することなく、高速に権利情報を表示することができる。
【０１１７】
（実施の形態７）
本発明の実施の形態７について説明する。
【０１１８】
本実施の形態７は、平文権利情報ファイルをコンテンツフォルダ内の管理ファイル（または、管理フォルダ内の全コンテンツ管理ファイル）に管理される暗号化権利情報へのリンクに登録されているかを確認する点が実施の形態１と異なる他は、実施の形態１と同様である。
【０１１９】
すなわち、平文権利情報ファイルの作成，表示，更新において、それぞれ実施の形態１と比べ、下記の点が異なる。
【０１２０】
平文権利情報ファイルの作成については、図１０に示すフローチャートのステップ６８の「作成した平文権利情報を平文権利情報ファイルとしてユーザフォルダ内に書き込む」が、「作成した平文権利情報の中の暗号化権利情報へのリンク情報の中で、通常記憶領域のコンテンツフォルダ内の管理ファイル（または、管理フォルダ内の全コンテンツ管理ファイル）内に管理される暗号化権利情報へのリンク情報に登録されていないものを削除してから、平文権利情報ファイルとしてユーザフォルダ内に書き込む」となる。
【０１２１】
平文権利情報ファイルの更新については、図１４に示すフローチャートのステップ９９の「更新済平文権利情報ファイルを通常記憶領域内の元の位置に書き込む」が、「更新済平文権利情報ファイルを、更新済平文権利情報の中の暗号化権利情報へのリンク情報の中で、通常記憶領域のコンテンツフォルダ内の管理ファイル（または、管理フォルダ内の全コンテンツ管理ファイル）内に管理される暗号化権利情報へのリンク情報に登録されていないものを削除してから、通常記憶領域内の元の位置に書き込む」となる。
【０１２２】
または、作成，更新の際に上記処理を行わずに、平文権利情報ファイルの表示において、図１３に示すフローチャートのステップ８６の「コンテンツ処理装置の表示部に平文権利情報を表示」を、「取得した平文権利情報の中の暗号化権利情報へのリンク情報の中で、通常記憶領域のコンテンツフォルダ内の管理ファイル（または、管理フォルダ内の全コンテンツ管理ファイル）内に管理される暗号化権利情報へのリンク情報に登録されていることを確認した上で、コンテンツ処理装置の表示部に平文権利情報を表示」としても同様である。
【０１２３】
既存の平文権利情報を表示する際に、取得した平文権利情報の中の暗号化権利情報へのリンク情報を確認しないために、通常記憶領域のコンテンツフォルダ内の管理ファイル（または、管理フォルダ内の全コンテンツ管理ファイル）内に管理される暗号化権利情報へのリンク情報に登録されていなくても、権利情報を表示している。つまり、権利情報に基づいて実際に再生などの処理を行った際に、暗号化権利情報へのリンク情報が設定されていなくてエラーを検出することになる（図１５参照）。実施の形態７の処理によって、実施の形態１の効果に加えて、暗号化権利情報へのリンク情報が確立された処理が有効な権利情報のみを携帯電話利用者に表示することができ、利用者が無用な処理を行うことがなくなる。
【０１２４】
（実施の形態８）
本発明の実施の形態８について説明する。
【０１２５】
本実施の形態８は、平文権利情報のハッシュ値を携帯電話側のメモリ領域に保持する点が実施の形態１と異なる他は、実施の形態１と同様である。
【０１２６】
すなわち、平文権利情報ファイルの作成，表示，更新において、それぞれ実施の形態１と比べ、下記の点が異なる。
【０１２７】
平文権利情報ファイルの作成については、図１０に示すフローチャートのステップ６８の「作成した平文権利情報を平文権利情報ファイルとしてユーザフォルダ内に書き込む」が、「作成した平文権利情報を平文権利情報ファイルとしてユーザフォルダ内に書き込むとともに、携帯電話の暗号処理部により平文権利情報のハッシュ値を算出し、メモリ領域内に保持する」となる。
【０１２８】
平文権利情報ファイルの表示については、図１２に示すフローチャートのステップ７４の「平文権利情報ファイルをコンテンツ処理装置のメモリ領域に一時的に読み出す」が、「平文権利情報ファイルをコンテンツ処理装置のメモリ領域に一時的に読み出し、携帯電話の暗号処理部により読み出した平文権利情報のハッシュ値を算出し、あらかじめメモリ領域内に保持するハッシュ値と同一であるか確認する。もし相違があった場合には処理を終了する」となる。
【０１２９】
平文権利情報ファイルの更新については、図１４に示すフローチャートのステップ９９の「更新済平文権利情報ファイルを通常記憶領域内の元の位置に書き込む」が、「更新済平文権利情報ファイルを通常記憶領域内の元の位置に書き込むとともに、携帯電話の暗号処理部により平文権利情報のハッシュ値を算出し、メモリ領域内に保持する」となる。
【０１３０】
上記処理によって、通常記憶領域２２に格納される平文権利情報ファイル３９を携帯電話利用者によって、改ざんされる恐れがなくなるとともに、既存の処理とは違い認証記憶領域２３へのアクセス、暗号化権利情報の復号化処理を全く実施する必要がなくなるために、権利情報の表示の高速化を図ることができる。
【０１３１】
（実施の形態９）
本発明の実施の形態９について、図１６を用いて説明する。
【０１３２】
本実施の形態９は、平文権利情報ファイルをメモリカードの容量に応じて分割して、メモリカードのユーザフォルダと携帯電話のメモリ領域とに保持する点が実施の形態１と異なる他は、実施の形態１と同様である。
【０１３３】
すなわち、平文権利情報ファイルの作成，表示，更新において、それぞれ実施の形態１と比べ、下記の点が異なる。
【０１３４】
平文権利情報ファイルの作成については、図１０に示すフローチャートのステップ６８の「作成した平文権利情報を平文権利情報ファイルとしてユーザフォルダ内に書き込む」部分が以下のようになる（図１６参照）。平文権利情報分の空き領域がメモリカード１１内にあるかどうかを確認する（ステップ１０１）。メモリカード１１内に空きがある場合には、作成した平文権利情報を平文権利情報ファイル３９としてユーザフォルダ３７内に書き込む（ステップ６８）。メモリカード１１内に空きがない場合や、意図的に平文権利情報ファイル３９を分割したい場合には、作成した平文権利情報ファイル３９をメモリカード用平文権利情報ファイル１と携帯電話メモリ領域用平文権利情報ファイル２に分割する（ステップ１０２）。そして、作成した平文権利情報を、平文権利情報ファイル１としてユーザフォルダ３７内に書き込むとともに、平文権利情報ファイル２として携帯電話１２のメモリ領域２６に保持する（ステップ１０３）。
【０１３５】
平文権利情報ファイルの表示については、図１２に示すフローチャートのステップ７４の「平文権利情報ファイルをコンテンツ処理装置のメモリ領域に一時的に読み出す」が、「平文権利情報ファイル１をコンテンツ処理装置のメモリ領域に一時的に読み出し、コンテンツ処理装置のメモリ領域に保持される平文権利情報ファイル２を読み出し、２つのファイルを１つに結合して平文権利情報ファイルとする」となる。
【０１３６】
平文権利情報ファイルの更新については、図１４に示すフローチャートのステップ９９の「更新済平文権利情報ファイルを通常記憶領域内の元の位置に書き込む」が、「平文権利情報分の空き領域がメモリカード内にあるかどうかを確認する。メモリカード内に空きがある場合には、更新済平文権利情報ファイルを通常記憶領域内の元の位置に書き込む。メモリカード内に空きがない場合や、意図的に更新済平文権利情報ファイルを分割したい場合には、更新済平文権利情報ファイルをメモリカード用更新済平文権利情報ファイル１とコンテンツ処理装置メモリ領域用更新済平文権利情報ファイル２に分割する。そして、更新済平文権利情報ファイル１として通常記憶領域内の元の位置に書き込むとともに、更新済平文権利情報ファイル２としてコンテンツ処理装置のメモリ領域に保持する」となる。
【０１３７】
上記処理によって、実施の形態１の効果に加えて、メモリカード１１のユーザフォルダ３７の空き領域が確保できない場合においても、平文権利情報ファイル３９を作成することができる。
【０１３８】
（実施の形態１０）
本発明の実施の形態１０について説明する。なお、本実施の形態１０は、図４に対応するものである。
【０１３９】
本実施の形態１０は、平文権利情報ファイルをメモリカードのユーザフォルダ内に書き込むのではなく、携帯電話のメモリ領域内に保持する点が実施の形態１と異なる他は、実施の形態１と同様である。
【０１４０】
すなわち、平文権利情報ファイルの作成，表示，更新において、それぞれ実施の形態１と比べ、下記の点が異なる。
【０１４１】
平文権利情報ファイルの作成については、図１０に示すフローチャートのステップ６８の「作成した平文権利情報を平文権利情報ファイルとしてユーザフォルダ内に書き込む」が、「作成した平文権利情報を平文権利情報ファイルとしてコンテンツ処理装置のメモリ領域内に保持する」となる。
【０１４２】
平文権利情報ファイルの表示については、図１２のフローチャートに示す全ての処理が不要となる。
【０１４３】
平文権利情報ファイルの更新については、図１４に示すフローチャートのステップ９９の「更新済平文権利情報ファイルを通常記憶領域内の元の位置に書き込む」が、「更新済平文権利情報ファイルをコンテンツ処理装置のメモリ領域内に保持する」となる。
【０１４４】
上記処理によって、実施の形態１の効果に加えて、メモリカード１１の所定の位置から平文権利情報ファイルを読み出す必要がなくなり、より一層権利情報の表示の高速化を図ることができる。
【０１４５】
（実施の形態１１）
本発明の実施の形態１１について説明する。
【０１４６】
本実施の形態１１は、平文権利情報ファイルを携帯電話のメモリ領域内に格納する上で、コンテンツの再生フォーマット種別により分割管理する点が実施の形態１０と異なる他は、実施の形態１０と同様である。
【０１４７】
すなわち、平文権利情報ファイルの作成，表示，更新において、それぞれ実施の形態１と比べ、下記の点が異なる。
【０１４８】
平文権利情報ファイルの作成については、図１０に示すフローチャートのステップ６８の「作成した平文権利情報を平文権利情報ファイルとしてユーザフォルダ内に書き込む」が、「作成した平文権利情報をコンテンツの再生フォーマット種別毎にファイルを分割して、フォーマット種別１平文権利情報ファイル、フォーマット種別２平文権利情報ファイルとしてコンテンツ処理装置のメモリ領域内に保持する」となる。
【０１４９】
平文権利情報ファイルの表示については、図１２のフローチャートに示すステップ７４以外の全ての処理が不要となる。
【０１５０】
平文権利情報ファイルの更新については、図１４に示すフローチャートのステップ９９の「更新済平文権利情報ファイルを通常記憶領域内の元の位置に書き込む」が、「更新済平文権利情報ファイルをコンテンツの再生フォーマット種別毎にファイルを分割して、フォーマット種別１更新済平文権利情報ファイル、フォーマット種別２更新済平文権利情報ファイルとしてコンテンツ処理装置のメモリ領域内に保持する」となる。
【０１５１】
既存の１つの平文権利情報ファイルのみの場合、携帯電話１２内にコンテンツのVideoのコーデックとして、ＡＳＦ，ＭＰ４，ＭＯＤなどの各種フォーマットの平文権利情報を共有していた場合に、例えばＭＰ４フォーマットのコンテンツのみに対応した携帯電話１２でVideo再生する際に必要な権利情報を探す際に、各種フォーマットを持つコンテンツの権利情報の中からＭＰ４フォーマットのコンテンツの権利情報を検索することとなり、非常に処理に時間を要する。しかし、実施の形態１１の処理によって、実施の形態１０の効果に加えて、ＭＰ４フォーマットのコンテンツの権利情報を１つの平文権利情報ファイルにまとめることができ、あらゆる動画フォーマットの権利情報の中からＭＰ４フォーマットのコンテンツの権利情報を検索することなく、高速に権利情報を表示することができる。
【０１５２】
（実施の形態１２）
本発明の実施の形態１２について説明する。なお、本実施の形態１２は、図５に対応するものである。
【０１５３】
本実施の形態１２は、平文権利情報ファイルをメモリカードの通常記憶領域のユーザフォルダ内に書込むのではなく、認証記憶領域内に平文のまま書込む点が実施の形態１と異なる他は、実施の形態１と同様である。
【０１５４】
すなわち、平文権利情報ファイルの作成，表示，更新において、それぞれ実施の形態１と比べ、下記の点が異なる。
【０１５５】
平文権利情報ファイルの作成については、図１０に示すフローチャートのステップ６８の「作成した平文権利情報を平文権利情報ファイルとしてユーザフォルダ内に書き込む」が、「作成した平文権利情報を平文権利情報ファイルとして認証記憶領域内に平文のまま書き込む」となる。
【０１５６】
平文権利情報ファイルの表示については、図１２に示すフローチャートのステップ７４の「平文権利情報ファイルをコンテンツ処理装置のメモリ領域に一時的に読み出す」が、「コンテンツ処理装置と記憶媒体間での相互認証処理が成功した後に、平文権利情報ファイルをコンテンツ処理装置のメモリ領域に一時的に読み出す」となる。
【０１５７】
平文権利情報ファイルの更新については、図１４に示すフローチャートのステップ９９の「更新済平文権利情報ファイルを通常記憶領域内の元の位置に書き込む」が、「更新済平文権利情報ファイルを認証記憶領域内に平文のまま書き込む」となる。
【０１５８】
上記処理によって、実施の形態１の効果に加えて、認証記憶領域２３に格納される平文権利情報ファイルを携帯電話利用者によって、読み出されたり、改ざんされたりする恐れがなくなるとともに、既存の処理とは違い暗号化権利情報の復号処理を全く実施する必要がなくなるために、権利情報の表示の高速化を図ることができる。
【０１５９】
（実施の形態１３）
本発明の実施の形態１３について説明する。なお、本実施の形態１３は、図１７，１８に対応するものである。
【０１６０】
本実施の形態１３は、図１７のように平文権利情報ファイルの存在をチェックする処理において、平文権利情報ファイルの存在をチェックせず、図１８のように平文権利情報ファイルの作成する処理において、平文権利情報ファイルの存在をチェックし、作成する平文権利情報と既存の平文権利情報ファイル整合性チェック処理を行い、不整合が発生した場合に作成する平文権利情報を優先して既存の平文権利情報ファイルを更新する点が実施の形態１と異なる。他は、実施の形態１と同様である。
【０１６１】
まず、図１７に示す平文権利情報ファイルの存在をチェックする処理について説明する。
【０１６２】
携帯電話１２からメモリカード１１上に平文権利情報ファイル作成が要求されると、まずメモリカード１１上の通常記憶領域２２内にアプリフォルダ３１の有無を確認する（ステップ１１１）。ステップ１１１にて、アプリフォルダ３１がない場合は、特に処理を行わず異常終了し、アプリフォルダ３１が存在している場合は、ステップ１１２に進む。ステップ１１２では、アプリフォルダ３１以下におけるユーザフォルダ３７の有無を確認し、ユーザフォルダ３７がない場合には、ユーザフォルダを新規作成する（ステップ１１３）。ここでは、ユーザフォルダ以下の平文権利情報ファイルの存在の有無はチェックしないものとする。
【０１６３】
次に、図１８に示す平文権利情報ファイルの作成を行う処理について説明する。
【０１６４】
携帯電話１２とメモリカード１１間において、規格で定められた相互認証処理を行い、メモリカード１１が正当なものであることを確認する（ステップ１２１）。ステップ１２１にて、メモリカード１１が正当なものでない場合は、直ちに処理が中断され異常終了する。ステップ１２１にて、メモリカード１１が正当なものであることが確認された場合には、ステップ１２２に進み、メモリカード１１の認証記憶領域２３内における未処理の暗号化鍵/権利管理ファイル４３の有無を確認する。ステップ１２２にて、未処理の暗号化鍵／権利管理ファイル４３が存在する場合には、ステップ１２３に進み、当該暗号化鍵/権利管理ファイル４３を、携帯電話１２の制御部２４を通じてメモリ領域２６に読み出す。ただし、暗号化鍵/権利管理ファイル４３の読み出しに際して、当該ファイルを全て読み出さずに、適切なサイズに分割して読み出して処理をしてもよい。暗号化鍵／権利管理ファイル４３が１つも存在しない場合には、特に処理を行わないものとする。
【０１６５】
ステップ１２３にて、暗号化鍵/権利管理ファイル４３を正常に読み出すことができた場合に、携帯電話１２の制御部２４により、暗号化鍵/権利管理ファイル４３内で有効な暗号化鍵/権利情報を確認する。有効な暗号化鍵/権利情報がない場合には、処理を終了するものとする。有効な暗号化鍵/権利情報がある場合には、ステップ１２４に進み、有効な暗号化鍵/権利情報内における未処理の暗号化権利情報の有無を確認する。ステップ１２４にて、未処理の暗号化権利情報が存在する場合には、ステップ１２５に進み、携帯電話１２の暗号処理部２５を用いて、暗号化権利情報を復号化して平文権利情報を取り出す。さらに、平文権利情報の中から表示に必要な権利情報のみを抽出し、その抽出した平文権利情報を平文権利情報群として携帯電話１２のメモリ領域２６に保持する（ステップ１２６）。
【０１６６】
次に、暗号化鍵／権利管理ファイル４３内に他の有効な暗号化鍵/権利情報を確認し、未取得の暗号化権利情報が無くなるまで、上記平文権利情報の取得処理を行い、携帯電話１２のメモリ領域２６の平文権利情報群を更新し保持する処理を繰り返す。さらに、他の暗号化鍵/権利管理ファイル４３が存在する場合には、他の暗号化鍵/権利管理ファイル４３を読み出した後に、上記の平文権利情報の取得処理を行い、携帯電話１２のメモリ領域２６の平文権利情報群を更新し保持する処理を繰り返す。上記平文権利情報の取得処理を繰り返し、全ての暗号化鍵/権利情報、及び全ての暗号化鍵/権利管理ファイル４３から平文権利情報の取得を行うまで処理を繰り返す。
【０１６７】
上記繰り返し処理が終了すると、ステップ１２７に進み、携帯電話１２のメモリ領域２６に平文権利情報が存在する場合には、ユーザフォルダ以下の表示用の平文権利情報ファイルの存在をチェックする（ステップ１２８）。すでに前記表示用の平文権利情報ファイルが存在している場合には、前記取得した平文権利情報と前記平文権利情報ファイルとの内容を比較する（ステップ１２９）。前記表示用の平文権利情報ファイルが存在していない場合は、実施の形態１と同様であり、携帯電話１２のメモリ領域２６に保持している全ての平文権利情報群を一つの平文権利情報ファイル３９にして、携帯電話１２の制御部２４を通して、メモリカード１１のアプリフォルダ３１以下のユーザフォルダ３７内に記録する（ステップ１３１）。
【０１６８】
ステップ１２９における内容の比較において、内容に相違がない場合は正常に終了するが、内容に相違があった場合には、前記表示用の平文権利情報ファイルを削除し（ステップ１３０）、改めて携帯電話１２のメモリ領域２６に保持している全ての平文権利情報群を一つの平文権利情報ファイル３９にして、携帯電話１２の制御部２４を通して、メモリカード１１のアプリフォルダ３１以下のユーザフォルダ３７内に記録する（ステップ１３１）。ただし、ここでは前記表示用の平文権利情報ファイルを削除したが、必ずしもファイルを削除する必要はなく、内容の相違点のみを抽出して、表示用の平文権利情報ファイルを更新してもよい。
【０１６９】
さらに、有効な権利情報が存在しないなどの理由で、携帯電話１２のメモリ領域２６の平文権利情報が存在しない場合には、ユーザフォルダ以下の表示用の平文権利情報ファイルの存在をチェックし（ステップ１３２）、前記表示用の平文権利情報ファイルが存在している場合には、前記取得した平文権利情報と前記平文権利情報ファイルとの間で不整合が発生していることになる為、前記表示用の平文権利情報ファイルを削除するものとする（ステップ１３３）。前記表示用の平文権利情報ファイルが存在していない場合は正常に終了する。
【産業上の利用可能性】
【０１７０】
本発明に係るコンテンツ権利情報管理方法およびコンテンツ権利情報管理装置は、暗号化権利情報の高速表示機能を有し、複数のコンテンツの権利情報を一覧で表示する民生機器、例えばＴＶ、ＤＶＤレコーダ、携帯電話、デジタルカメラ、動画ビューワ等として有用である。
【図面の簡単な説明】
【０１７１】
【図１】本発明の請求項１に係るコンテンツ権利情報管理方法の構成図
【図２】本発明の請求項３に係るコンテンツ権利情報管理方法の構成図
【図３】本発明の請求項４に係るコンテンツ権利情報管理方法の構成図
【図４】本発明の請求項１０に係るコンテンツ権利情報管理方法の構成図
【図５】本発明の請求項１２に係るコンテンツ権利情報管理方法の構成図
【図６】本発明の実施の形態１に係るコンテンツ権利情報表示システムの構成図
【図７】本発明の実施の形態１に係るメモリカード内のファイル構成図
【図８】本発明の実施の形態１に係るコンテンツ権利情報一覧の表示を示す図
【図９】本発明の実施の形態１に係る平文権利情報ファイルの作成時の存在チェックフローチャート
【図１０】本発明の実施の形態１に係る平文権利情報ファイル作成フローチャート
【図１１】本発明の実施の形態１に係る平文権利情報ファイル構成図
【図１２】本発明の実施の形態１に係る平文権利情報ファイルの表示時の存在チェックフローチャート
【図１３】本発明の実施の形態１に係る平文権利情報ファイル表示フローチャート
【図１４】本発明の実施の形態１に係る平文権利情報ファイル更新フローチャート
【図１５】本発明の実施の形態７に係る暗号化権利情報へのリンク情報の不整合を示す図
【図１６】本発明の実施の形態９に係る平文権利情報ファイルの分割作成フローチャート
【図１７】本発明の実施の形態１３に係る平文権利情報ファイルの作成時の存在チェックフローチャート
【図１８】本発明の実施の形態１３に係る平文権利情報ファイル作成フローチャート
【符号の説明】
【０１７２】
１１  メモリカード（記憶媒体）
１２  携帯電話（コンテンツ処理装置）
２１  制御部
２２  通常記憶領域
２３  認証記憶領域
２４  制御部
２５  暗号処理部
２６  メモリ領域
２７  表示部
３１  アプリフォルダ
３２  ユーザフォルダ（データ領域）
３３  管理フォルダ（コンテンツ領域）
３６  コンテンツフォルダ（コンテンツ領域）
３７  ユーザフォルダ（データ領域）
【図１】
2006178930.tif 000003
【図２】
2006178930.tif 000004
【図３】
2006178930.tif 000005
【図４】
2006178930.tif 000006
【図５】
2006178930.tif 000007
【図６】
2006178930.tif 000008
【図７】
2006178930.tif 000009
【図８】
2006178930.tif 000010
【図９】
2006178930.tif 000011
【図１０】
2006178930.tif 000012
【図１１】
2006178930.tif 000013
【図１２】
2006178930.tif 000014
【図１３】
2006178930.tif 000015
【図１４】
2006178930.tif 000016
【図１５】
2006178930.tif 000017
【図１６】
2006178930.tif 000018
【図１７】
2006178930.tif 000019
【図１８】
2006178930.tif 000020